(57)【要約】【課題】各種の印刷作業場などに於いて洗浄液としての有機溶剤を貯留した蓋付容器を作業者の足踏動作で該ドラフトチャンバに装備したシャッタを開放・閉止すると共に有機溶剤の臭気が作業場に飛散することを防止する技術を提供する。【解決手段】箱型状ケース１２の前壁１２ｂの上下の中間位置には箱型状ケース１２の高さ全長の約１／３程度の高さを有する開口部１２ａを形成し、箱型状ケース１２内の上方部位には前方から後方に向かってシャッタ巻上用回転軸１３、容器蓋閉止用回転軸１４及び容器蓋開放用回転軸１５を配置している。シャッタ巻上用回転軸１３は前記開口部１２ａの幅長と略同一寸法のシャッタ巻上ドラム１６を挿装し、開口部１２ａを閉止又は開放するシャッタ１７を巻装すると共に該シャッタ１７の下端は重錘１８を固定している。箱型状ケース１２の下面又は側面の下方部に伝達ワイヤ駆動用足踏器１９を固定する。台車２７は基台部２７ａと該基台部２７ａの下面に２個ないし複数個を備えたキャスタ２７ｂとを有している。【選択図】図１
0003156984.tif 000002
【実用新案登録請求の範囲】
【請求項１】
キャスタを備えた台車と、該台車を装着すると共に洗浄用溶剤を充填しかつ蓋を有した有機溶剤容器を内部に装置した箱型状ケースと、該箱型状ケースの下方部に固定した伝達ワイヤ駆動用足踏器と、該箱型状ケースの上方部位に回転自在にかつ前方から後方に向かって軸着したシャッタ巻上用回転軸、容器蓋閉止用回転軸、容器蓋開放用回転軸と、内部に滞留した揮発した溶剤・臭気を排出する排気ダクトとでなる構成に於いて、前記シャッタ巻上用回転軸は下端に重錘を固定したシャッタを装着したシャッタ巻上ドラムと、伝達ワイヤ駆動用足踏器の足踏操作で懸架した伝達ワイヤで回転しかつ容器蓋閉止用回転軸及び容器蓋開放用回転軸を回転させる複数のプーリとを有し、前記容器蓋閉止用回転軸は前記有機溶剤容器の蓋を閉止させる単一又は複数のプーリを備えかつ前記容器蓋開放用回転軸は前記有機溶剤容器の蓋を開放させる単一又は複数のプーリを備えてなることを特徴とするドラフトチャンバ。
【考案の詳細な説明】
【技術分野】
【０００１】
本考案は、各種の印刷作業場や塗装作業場などに於いて飛沫インク除去や部品の洗浄液を使用する作業環境に於いて、該洗浄液としての有機溶剤を貯留した蓋付容器を作業者の足踏動作で該ドラフトチャンバに装備したシャッタを開放・閉止すると共に有機溶剤の臭気が作業場に飛散することを防止するドラフトチャンバに関する。
【背景技術】
【０００２】
従来、この種の技術としては例えば図５に示す特開平９−７３６３３公開特許公報に開示された技術がある。これについて説明すれば、キャスター付き排気装置Ａは、前面１ａおよび後面１ｂに開口部９ａおよび９ｂを有する中空体からなる運搬用車体１と、該運搬用車体１に内蔵された排気ファン２、ホース３およびフード４と、運搬用車体１の前面側に設けられた前面扉５およびフード上板６と、運搬用車体１の後面側に設けられた後面扉７と、運搬用車体１の下面に設けられた車輪８とから構成されている。
【０００３】
運搬用車体１は、鋼、全面ステンレスなどからなる直方体形状を呈する中空の筐体であり、その前面１ａの下から１／２〜１／３程度の領域に開口部９ａが形成されている。開口部９ａは、その高さが少なくともフード４の高さとフード上板７の厚さとの和になるように形成されればよい。一方、運搬用車体１の後面１ｂのほぼ全面に開口部９ｂが形成されている。なお、開口部９ｂの広さについては、とくに限定されるものではないが、ホース３および電源用コード１０を引き出しまたは収納するのに好適な広さになるように前記開口部９ｂの広さを設定すればよい。
【０００４】
排気ファン２は小型のファンなどからなり、上流側端部２ａが前記前面１ａ側の開口部９ａを向くように、運搬用車体１の内部に固着されている。なお、排気ファン２は、運搬用車体１の内部であれば、適宜の場所に適宜の固着方法で固着すればよく、たとえば、底面に脚１１などを用いて固着されている。なお、排気ファン２の電源は、作業環境に合わせて適宜選択すればよく、通常の工場内のように電源が確保しやすい環境で使用することを考慮して、排気ファン２に接続された電源用コード１０を通して、外部からえられるようにされている。なお、電源の確保が困難な環境で使用するばあい、運搬用車体１の内部に電源用のバッテリーや発電機を搭載する。
【０００５】
キャスター付き排気装置Ａを使用するときは、後面扉７を開放してホース３を取出して該ホース３を工場又は作業場に設置されている排気装置の吸気口等（図示せず）に接続する。一方、前面扉５およびフード上板６を開放してガス等の発生源、例えば洗浄液等を収容した溶剤容器の近傍に対向させ、排気ファン２を回転させて該ガスを工場又は作業場の外部に排気する。またフード４の内側に使用済みのウェス、ブラシ工具や軍手等を収納する。
【先行技術文献】
【特許文献】
【０００６】
【特許文献１】特開平９−７９６３３号公開特許公報
【考案の概要】
【考案が解決しようとする課題】
【０００７】
従来の技術は叙上の構成であるので次の課題が存在した。すなわち、上述した排気装置Ａに於いて、洗浄液等を収容した溶剤容器は工場内に別置しておりこれを使用した後に作業者が使用済みのウェス、ブラシ工具や軍手等を前面扉５を開放して運搬用車体１内に投入する。そして、電源をオンして排気ファン２を駆動し、該運搬用車体１やガス発生源が存在する工場内に滞留した臭気等はホース３を介して外部に放出する。このようにこの技術では先づ溶剤容器を工場内に別置し使用時に蓋を開放するので溶剤の臭気が工場内に発散することになり、工場内の衛生管理上の問題が生じると共に前面扉５を開放して排気ファン２を駆動するのみでは完全に工場内の臭気を適切に除去することができないという問題点があった。次に工場内の各機械部品を溶剤を使用して洗浄した後に使用済みウェス、ブラシ工具や軍手等溶剤が付着したままの作業員の手で前面扉５を操作するので、該前面扉５や運搬用車体１が汚れると共に臭気が付着し臭気除去の改善ができないという問題点があった。さらに工場内の滞留した臭気の排気を電気的手段によって運搬用車体１内の排気ファン２を駆動することにより行うので消費電力が累むという問題点があった。
【課題を解決するための手段】
【０００８】
本考案のドラフトチャンバは叙上の問題を解決すべく考案したものであり、次の構成、手段から成立する。
すなわち請求項１記載の考案によれば、キャスタを備えた台車と、該台車を装着すると共に洗浄用溶剤を充填しかつ蓋を有した有機溶剤容器を内部に装置した箱型状ケースと、該箱型状ケースの下方部に固定した伝達ワイヤ駆動用足踏器と、該箱型状ケースの上方部位に回転自在にかつ前方から後方に向かって軸着したシャッタ巻上用回転軸、容器蓋閉止用回転軸、容器蓋開放用回転軸と、内部に滞留した揮発した溶剤・臭気を排出する排気ダクトとでなる構成に於いて、前記シャッタ巻上用回転軸は下端に重錘を固定したシャッタを装着したシャッタ巻上ドラムと、伝達ワイヤ駆動用足踏器の足踏操作で懸架した伝達ワイヤで回転しかつ容器蓋閉止用回転軸及び容器蓋開放用回転軸を回転させる複数のプーリとを有し、前記容器蓋閉止用回転軸は前記有機溶剤容器の蓋を閉止させる単一又は複数のプーリを備えかつ前記容器蓋開放用回転軸は前記有機溶剤容器の蓋を開放させる単一又は複数のプーリを備えてなることを特徴とする。
【考案の効果】
【０００９】
本考案に係るドラフトチャンバは叙上の構成を有するので次の効果がある。
【００１０】
請求項１記載の考案によれば、キャスタを備えた台車と、該台車を装着すると共に洗浄用溶剤を充填しかつ蓋を有した有機溶剤容器を内部に装置した箱型状ケースと、該箱型状ケースの下方部に固定した伝達ワイヤ駆動用足踏器と、該箱型状ケースの上方部位に回転自在にかつ前方から後方に向かって軸着したシャッタ巻上用回転軸、容器蓋閉止用回転軸、容器蓋開放用回転軸と、内部に滞留した揮発した溶剤・臭気を排出する排気ダクトとでなる構成に於いて、前記シャッタ巻上用回転軸は下端に重錘を固定したシャッタを装着したシャッタ巻上ドラムと、伝達ワイヤ駆動用足踏器の足踏操作で懸架した伝達ワイヤで回転しかつ容器蓋閉止用回転軸及び容器蓋開放用回転軸を回転させる複数のプーリとを有し、前記容器蓋閉止用回転軸は前記有機溶剤容器の蓋を閉止させる単一又は複数のプーリを備えかつ前記容器蓋開放用回転軸は前記有機溶剤容器の蓋を開放させる単一又は複数のプーリを備えてなることを特徴とするドラフトチャンバを提供する。
このような構成としたので、空調された工場内での揮発性で可燃性の強い有機溶剤を使用する作業を行う際、有機溶剤容器に充填した溶剤の蒸発による工場内拡散を防止できるという効果がある。また、作業者は有機溶剤容器の形状を作業の形態に合わせて大きさや高さを変化させることができ、作業スペースを確保できる場所に移動が可能なドラフトチャンバの開口部に設置したシャッタを手を使わず足踏操作で開閉させることができるという効果がある。また、フレキシブルダクトの途中に防爆形排気ファンを設けドラフトチャンバ内は常に工場内の圧力値に対し負に設定しドラフトチャンバ内での揮発した溶剤は工場内に拡散することがなく常に工場内の臭気を除去し衛生管理を図ることがでるという効果がある。さらに、作業者は該可動型ドラフトチャンバにより有機溶剤を小分け可能とするばかりか作業用工具や消耗品としてのウェス等を作業部位まで一括して運搬できるという効果がある。
【図面の簡単な説明】
【００１１】
【図１】本考案に係るドラフトチャンバに於ける実施の形態を示す図面であって左側面部分を垂直断面した図面である。
【図２】本考案に係るドラフトチャンバに於ける実施の形態を示す図面であって左側面図である。
【図３】本考案に係るドラフトチャンバに於ける実施形態を示す図面であって図１に於ける矢視Ｂ−Ｂ線方向から見た断面図である。
【図４】本考案に係るドラフトチャンバに於ける伝達ワイヤ駆動用足踏器の垂直断面図である。
【図５】従来の技術に於ける移動式局所排気装置を示すものであって一部を断面した斜視図である。
【考案を実施するための形態】
【００１２】
以下、本考案に係るドラフトチャンバに於ける実施の形態について図１ないし図４に基づき詳細に説明する。
図１は本考案に係るドラフトチャンバの左側面部分を垂直断面した図面である。
図２は本考案に係るドラフトチャンバの左側面図である。
図３は図１に於ける矢視Ｂ−Ｂ線方向から見た断面図である。
【００１３】
本考案に係るドラフトチャンバＣは全体が箱型状ケース１２で構成され、例えば本実施の形態では当該箱型状ケース１２は矩形状であって、開口部１２ａを有する前壁１２ｂと、後壁１２ｃと、左側壁１２ｄと、右側壁１２ｅと、上面壁１２ｆで構成されている。当該箱型状ケース１２は各壁を一体成形してもよいがその端部を固定部品や接着剤で固定することもできる。該当該箱型状ケース１２の上端に装着した前記上面壁１２ｆは例えば薄板状蓋や透明性樹脂材、アクリル樹脂材で成形してもよい。尚、各壁１２ｂないし１２ｆは木製、金属製でもよいが、望ましくは内部の状態が把握できるように透明性樹脂材料は透明性ガラス材料、アクリル樹脂等により構成する。
【００１４】
前記前壁１２ｂの上下の中間位置には所定幅長を有する開口部１２ａ（窓）を構成する。具体的には当該ドラフトチャンバＣの高さ全長の約１／３程度の高さ（幅）を有する開口部１２ａを形成する。前記箱型状ケース１２の左側壁１２ｄと右側壁１２ｅとの空間すなわち該箱型状ケース１２内の上方部位には前方から後方に向かって図３に示すように３本の回転軸１３ないし１５を配置している。つまりシャッタ巻上用回転軸１３、容器蓋閉止用回転軸１４及び容器蓋開放用回転軸１５である。このシャッタ巻上用回転軸１３、容器蓋閉止用回転軸１４及び容器蓋開放用回転軸１５の各左端及び右端にはそれぞれ軸受１３ａ、１４ａ、１５ａ及び１３ｂ、１４ｂ、１５ｂを前記左側壁１２ｄ及び右側壁１２ｅの内側に配置している。
【００１５】
前記シャッタ巻上用回転軸１３は図３に示すようにその左側から右側であって前記開口部１２ａの幅長と略同一寸法のシャッタ巻上ドラム１６を挿装している。このシャッタ巻上ドラム１６は図１に示すように開口部１２ａを閉止又は開放するシャッタ１７を巻装している。該シャッタ１７の下端は重錘１８を固定している。そして、別置した伝達ワイヤ駆動用足踏器１９を作業員の足踏み操作で該シャッタ１７の上下動作を司り前記開口部１２ａを開放又は閉止することができる。
【００１６】
前記シャッタ巻上用回転軸１３の左先端１３ｃには図２に示すように伝達ワイヤ駆動用足踏器１９に連結する伝達ワイヤ２０を懸架する第１プーリ１３ｄを固定している。該第１プーリ１３ｄは図２に示すように箱型状ケース１２の左側壁１２ｄの外面に配置してあり伝達ワイヤ２０で該第１プーリ１３ｄを回転し、シャッタ巻上用回転軸１３を回転操作をする。１３ｅは第２プーリであって第１プーリ１３ｄの右端側に固定されており、第１プーリ１３ｄに比較し、長径で成る。この第２プーリ１３ｅは伝達ワイヤ２１を介してその下端に重錘２２を固定している。この重錘２２は前記重錘１８に比較しやや重い重量で構成する。
【００１７】
前記第２プーリ１３ｅの右側には隣接して第３プーリ１３ｆをシャッタ巻上用回転軸１３に固定する。該第３プーリ１３ｆは前記第２プーリ１３ｅより短径で成る。該第３プーリ１３ｆと容器蓋開放用回転軸１５に固定した第４プーリ１５ｃに懸架した伝達ワイヤ２３
を懸架し前記シャッタ巻上用回転軸１３の回転運動を伝達する。そして容器蓋開放用回転軸１５の略中央部位に第４プーリ１５ｃより長径の第５プーリ１５ｄを固定する。また第３プーリ１３ｆの右側には隣接して第６プーリ１３ｇを前記シャッタ巻上用回転軸１３に固定する。第６プーリ１３ｇは前記第３プーリ１３ｆよりやや短径でなる。第６プーリ１３ｇと前記容器蓋閉止用回転軸１４に固定した第７プーリ１４ｃとに伝達ワイヤ１４ｅを懸架し前記容器蓋閉止用回転軸１４に前記シャッタ巻上用回転軸１３の回転動作を伝達する。
【００１８】
前記第５プーリ１５ｄは伝達ワイヤ２４を懸架してあり容器蓋開放用回転軸１５が回転することにより該伝達ワイヤ２４を引上げ、この伝達ワイヤ２４に接続された有機溶剤容器２５の蓋２５ａを図１の破線で示すように開放する。該有機溶剤容器２５の蓋２５ａの裏面の一部に重錘２８を固定してある。また、第６プーリ１３ｇと第７プーリ１４ｃに伝達ワイヤ１４ｅを懸架し、第６プーリ１３ｇを回転することにより第７プーリ１４ｃを連動させ、前記容器蓋閉止用回転軸１４の略中央部位に固定した第８プーリ１４ｄに接続された伝達ワイヤ２６を引下げ有機溶剤容器２５の蓋２５ａに接続しており図１の実線で示すように閉止する。有機溶剤容器２５はシンナー等の各種の洗浄用溶剤２５ｄを充填している。ここで、前記第８プーリ１４ｄは容器蓋閉止用回転軸１４に半滑り状態で軸着している。
【００１９】
２７は台車であり、基台部２７ａと該基台部２７ａの下面に２個ないし複数個を備えたキャスタ２７ｂとを有している。そして該台車２７の基台部２７ａは木製若しくは金属製で製作され全体が例えば矩形状でなり薄板状に形成してある。該基台部２７ａの上面は容器保持板２７ｃを載置・固定しており、箱型状ケース１２の上方に向かって一対の保持枠２７ｄ、２７ｄを突設している。一対の保持枠２７ｄ、２７ｄ間に前記有機溶剤容器２５の側壁部２５ｂ又は底面部２５ｃを出入れ自在に嵌着している。前記基台部２７ａは容器保持板２７ｃを必ずしも設ける必要がなく基台部２７ａ自体も箱型状ケース１２の各壁１２ｂないし１２ｅの下端部と一体成形し、省略してもよい。そして、該基台部２７ａは箱型状ケース１２の各壁１２ｂないし１２ｅの下端部に固定具部品又は接着剤で固定することもできる。
【００２０】
次に図４に基づき伝達ワイヤ駆動用足踏器１９を説明する。該伝達ワイヤ駆動用足踏器１９は箱型状ケース１２の下面又は側面の下方部に固定してあって、概ねケース１９Ａと足踏部１９Ｂと、伝達ワイヤ引上機構１９Ｃとで構成される。該足踏部１９Ｂの下面の略中央部に支点１９ａを配置し、作業者の足踏操作で支点１９ａを中心として該足踏部１９Ｂの先端部１９ｂがケース１９Ａ内に介装したスプリング等の弾性部材１９ｃを圧縮しつつ上方に押上げる。該ケース１９Ａ内には複数個のプーリ１９ｄ〜１９ｆを配置し、この複数個のプーリ１９ｄ〜１９ｆに伝達ワイヤ２０が懸架されており、該伝達ワイヤ２０を矢印Ｄ方向に引上げる。尚、図中１９ｇは伝達ワイヤロック解除レバーであり作業者の足を引掛けると伝達ワイヤ２０を解除し第２プーリ１３ｅ及びシャッタ巻上ドラム１６を逆転し、シャッタ１７を閉止する。
【００２１】
２９はドラフトチャンバＣ内に滞留した揮発した溶剤や臭気を工場外部に放出するための排気ダクトであって、該ドラフトチャンバＣの前壁１２ｂ、後壁１２ｃ、左側壁１２ｄ、右側壁１２ｅのいずれかに配置する。この排気ダクト２９の径路に排気ファン３０を接続・配置する。そして排気ファン３０に例えばフレキシブルダクト３１の一端を接続し、該フレキシブルダクト３１の他端は該ドラフトチャンバＣを移動したとき工場内に予め固定・配置している排気ダクト（図示せず）の所定位置に接続する。ここでドラフトチャンバＣ内の空気圧力値は工場内の空気圧力値（室圧）に比較し負圧となっているので作業中に於いて揮発した溶剤や臭気が工場内に放出されることはない。また前記フレキシブルダクト３１の中途に防爆型排気ファンを設置することによりその効果を示現できる。
【００２２】
次に本考案に係るドラフトチャンバＣに於ける動作や作業手順等について説明する。
例えばグラビア印刷工場等に於いて作業者は印刷商品の完成度を確認すべく、常時確認検査を行うが、このとき作業者の作業服や手元又は作業工具等に塗料が付着する場合がある。このため作業者はウェス、ブラシ工具、軍手等を使用してドラフトチャンバＣ内に設置した有機溶剤容器２５内の洗浄用溶剤２５ｄで付着塗料を洗浄する。そこで作業者はグラビア印刷工場内の所定場所までドラフトチャンバＣを移動する。ドラフトチャンバＣの移動方法としては手で持ち運ぶこともできるが、キャスタ２７ｂを駆動・回転させて移動する。
【００２３】
而して作業者は手を使用せず図４に示すように片足で伝達ワイヤ駆動用足踏器１９の足踏部１９Ｂを矢印Ｅ方向に踏込む。そして、作業者の足踏操作で支点１９ａを中心として該足踏部１９Ｂの先端部１９ｂがケース１９Ａ内に介装したスプリング等の弾性部材１９ｃを圧縮しつつ上方に押上げる。すると複数個のプーリ１９ｄ〜１９ｆが回転し、伝達ワイヤ２０が矢印Ｄ方向に上昇する。実施例によれば該伝達ワイヤ２０を１０（ｃｍ）程度引上げる。このとき該伝達ワイヤ２０により第１プーリ１３ｄを例えば１．５回転程度に回転操作する。作業者が足踏操作をする前は重錘１８によりシャッタ１７は開口部１２ａを閉止している。この重錘１８の重さにより該シャッタ１７は常に下向きに張力が掛かっている。そして、第１プーリ１３ｄの左方向回転によりシャッタ巻上用回転軸１３、シャッタ巻上ドラム１６及び第２プーリ１３ｅも図３から見て左方向に回転する。該シャッタ巻上ドラム１６が例えば１．５回転し、その円周距離を６０（ｃｍ）に設定する。このとき該第２プーリ１３ｅに懸架した伝達ワイヤ２１にはより重量の重い重錘２２を固定しているので、この重錘２２が下降動作する。この重錘２２の加重により該シャッタ１７はシャッタ巻上ドラム１６の円周距離の１．５倍例えば９０（ｃｍ）まで完全に引上げられ、開口部１２ａは開口状態になる。
【００２４】
そこで第６プーリ１３ｇが図３から見て左方向に回転し伝達ワイヤ１４ｅにより第７プーリ１４ｃ及び容器蓋閉止用回転軸１４を回転させ第８プーリ１４ｄを回転させて伝達ワイヤ２６を引上げ有機溶剤容器２５の蓋２５ａを少し開くが該第８プーリ１４ｄが容器蓋閉止用回転軸１４に半滑り状態に結合しているので該第８プーリ１４ｄは空廻りし、それ以上は該蓋２５ａを開放することはできない。次に上述したシャッタ巻上用回転軸１３の回転動作で第３プーリ１３ｆを回転させると共に伝達ワイヤ２３により第４プーリ１５ｃ、容器蓋開放用回転軸１５及び第５プーリ１５ｄの回転により図１に示す実線で示す伝達ワイヤ２４を破線で示すように巻上げる。而して前記有機溶剤容器２５の蓋２５ａの閉止状態から破線で示すように開放状態にする。ここで前記伝達ワイヤ引上機構１９Ｃにはロック機構１９ｈを備えており、該伝達ワイヤ２０を引上げた際作業者の片足を開放しても下降しないように構成している。
【００２５】
そこで、作業者はドラフトチャンバＣの開口部１２ａから有機溶剤容器２５内の洗浄用溶剤２５ｄを用いてウェス、軍手またはブラシ工具等各種の洗浄工具等で汚染された作業服等を洗浄する。洗浄作業が完了すれば、作業者は使用済みウェスや軍手又は洗浄工具等をドラフトチャンバＣ内、つまり基台部２７ａの内部や保持板２７ｃの空間スペースに投入・放置する。
【００２６】
次に、作業者は片足で伝達ワイヤ駆動用足踏器１９の伝達ワイヤロック解除レバー１９ｇを操作し、該伝達ワイヤ２０を解除する。そこで該伝達ワイヤ２０は図４に示す矢印Ｆ方向に降下させると共に重錘１８の作用により、該シャッタ１７及びシャッタ巻上ドラム１６を逆転させる。そして該シャッタ巻上ドラム１６が図３に於いて右回転させると共に第６プーリ１３ｇ、第７プーリ１４ｃ及び容器蓋閉止用回転軸１４を右回転させる。そこで、第８プーリ１４ｄも右回転し伝達ワイヤ２６を下降させ有機溶剤容器２５の蓋２５ａに固定した重錘２８の作用と相俟ち有機溶剤容器２５の蓋２５ａを閉止する。そして排気ファン３０を駆動することによりフレキシブルダクト３１を介してドラフトチャンバＣ内に滞留した揮発した溶剤や臭気若しくはウェスや洗浄工具等が発散する臭気等をグラビア印刷工場内に設置した既存の排気ダクトから外部に排出する。      
【産業上の利用可能性】
【００２７】
各種印刷工場に於いて作業者は飛沫インク除去や部品の洗浄液を使用作業環境で、手を使わずに足踏操作により汚染された作業用工具やウェス等を蓋付容器に回収することができ溶剤の臭気を箱型状ケースに密閉しておくことができる。また、病院や介護施設に於いて患者のオムツ交換をする際に、患者間の相互感染を防止するために手を使わずに足踏操作で汚染されたオムツを蓋付容器に回収することができ、臭気を箱型状ケースに密閉しておくことができる。
【符号の説明】
【００２８】
１２      箱型状ケース
１２ａ    開口部
１２ｂ    前壁
１２ｃ    後壁
１２ｄ    左側壁
１２ｅ    右側壁
１２ｆ    上面壁
１３      シャッタ巻上用回転軸
１３ａ    軸受
１３ｂ    軸受
１３ｃ    シャッタ巻上用回転軸の左先端
１３ｄ    第１プーリ
１３ｅ    第２プーリ
１３ｆ    第３プーリ
１３ｇ    第６プーリ
１４      容器蓋閉止用回転軸
１４ａ    軸受
１４ｂ    軸受
１４ｃ    第７プーリ
１４ｄ    第８プーリ
１４ｅ    伝達ワイヤ
１５      容器蓋開放用回転軸
１５ａ    軸受
１５ｂ    軸受
１５ｃ    第４プーリ
１５ｄ    第５プーリ
１６      シャッタ巻上ドラム
１７      シャッタ
１８      重錘
１９     
伝達ワイヤ駆動用足踏器
１９Ａ    ケース
１９Ｂ    足踏部
１９Ｃ    伝達ワイヤ引上機構
１９ａ    支点
１９ｂ    先端部
１９ｃ    弾性部材
１９ｄ    プーリ
１９ｅ    プーリ
１９ｆ    プーリ
１９ｇ    伝達ワイヤロック解除レバー
１９ｈ    ロック機構
２０      伝達ワイヤ
２１      伝達ワイヤ
２２      重錘
２３      伝達ワイヤ
２４      伝達ワイヤ
２５      有機溶剤容器
２５ａ    有機溶剤容器の蓋
２５ｂ    側壁部
２５ｃ    底面部  
２５ｄ    洗浄用溶剤
２６      伝達ワイヤ
２７      台車
２７ａ    基台部
２７ｂ    キャスタ
２７ｃ    容器保持板
２７ｄ    保持枠
２８      重錘
２９      排気ダクト
３０      排気ファン
３１      フレキシブルダクト
【図１】
0003156984.tif 000003
【図２】
0003156984.tif 000004
【図３】
0003156984.tif 000005
【図４】
0003156984.tif 000006
【図５】
0003156984.tif 000007